(57)【要約】      （修正有）【課題】トリガー動作はユーザがプロセスカートリッジを使用する際に機器ドア本体を開閉する不可欠な動作によって実現でき、別途に操作する必要がなく、ユーザの使用習慣と合わせ、且つ制御が正確であり、取り付け及び取り外し過程において干渉しないプロセスカートリッジを提供する。【解決手段】カートリッジ本体、感光ドラム駆動モジュール、及び１つの制御機構を備え、制御機構は押えロッドを含み、押えロッドは画像形成装置取り付けレールの押さえに耐え、制御機構は更に取り付けレールと合わせてプロセスカートリッジを突き上げ、レールが押えロッドを押えることで発生するジャッキブロック及びドア本体の押圧力によってプロセスカートリッジを回転させる。また、取り付けレールは押えロッドへの押えを解除する受力部を含む。動力受け部の伸縮トリガーは画像形成装置ドア本体の押圧から発生する。【選択図】図７
0003213269.tif 000002
【実用新案登録請求の範囲】
【請求項１】
プロセスカートリッジのカートリッジ本体、カートリッジ本体にある感光ドラム駆動モジュール、及び感光ドラム駆動モジュールにおける動力受け部の伸縮を制御する制御機構を備え、前記制御機構はカートリッジ本体における支点を廻って回転することができる押えロッドを含み、前記押えロッドは前記画像形成装置取り付けレールの押さえに耐えるドア本体を有する画像形成装置に取り外し可能に取り付けられるプロセスカートリッジであって、前記制御機構は前記取り付けレールと合わせて前記プロセスカートリッジを突き上げて前記レールが前記押えロッドを強制的に押さえるジャッキブロック及び前記ドア本体の押圧力によって前記プロセスカートリッジの回転を駆動し前記取り付けレールが前記押えロッドへの押えを解除する受力部を更に含み、前記ジャッキブロックは前記カートリッジ本体の一側に設置され、前記受力部は前記カートリッジ本体に設置されることを特徴とするプロセスカートリッジ。
【請求項２】
前記カートリッジ本体に第１リミット部と第２リミット部が設置され、前記制御機構は更に第１弾性素子を含み、前記第１弾性素子の一端が第２リミット部に当接され、一端が前記カートリッジ本体に当接され、前記ジャッキブロックは前記ドア本体を開ける第１位置と前記ドア本体を閉じる第２位置との間で切り替えることができ、前記ジャッキブロックが第１位置にある際に、前記取り付けレールは前記押えロッドを押え、第２位置にある際に、前記ドア本体は前記受力部を押圧して、前記取り付けレールは前記押えロッドへの押えを解除することを特徴とする請求項１に記載のプロセスカートリッジ。
【請求項３】
前記カートリッジ本体に回転孔が設置され、前記ジャッキブロックに取り付け突起が設置され、前記取り付け突起は前記取り付け孔に合わせ、前記ジャッキブロックは前記取り付け孔を廻って第１リミット部と第２リミット部との間で回転することを特徴とする請求項２に記載のプロセスカートリッジ。
【請求項４】
前記ジャッキブロックにガイド突起が設置され、前記カートリッジ本体にガイド溝が設置され、前記ガイド突起は前記ガイド溝に合わせることを特徴とする請求項３に記載のプロセスカートリッジ。
【請求項５】
前記ジャッキブロックに固定孔が設置され、前記第１弾性素子の一端が前記固定孔に合わせ、一端が第２リミット部に当接されることを特徴とする請求項２に記載のプロセスカートリッジ。
【請求項６】
前記カートリッジ本体に第１弾性素子取り付け柱が設置され、前記第１弾性素子はねじりバネであり、前記第１弾性素子は前記第１弾性素子取り付け柱に套設されることを特徴とする請求項１−５のいずれかに記載のプロセスカートリッジ。
【請求項７】
前記プロセスカートリッジには現像素子を支持する支持柱が設置され、前記押えロッドには前記支持柱を回避する回避部が設置されることを特徴とする請求項６に記載のプロセスカートリッジ。
【請求項８】
前記ジャッキブロックは前記カートリッジ本体に固定して設置され、前記ジャッキブロックには受力して弾性的に変形可能な弾性部が設置されることを特徴とする請求項１に記載のプロセスカートリッジ。
【請求項９】
前記弾性部はゴム材料からなることを特徴とする請求項８に記載のプロセスカートリッジ。
【考案の詳細な説明】
【技術分野】
【０００１】
本実用新案はプロセスカートリッジに関する。
【背景技術】
【０００２】
プロセスカートリッジは取り外し可能に画像形成装置ホストに装着されるカートリッジであり、且つこのカートリッジは１つのユニット全体として１つの電子写真感光モジュールと少なくとも１つの例えば充電器、現像器、クリーナーなどのようなプロセッサを含む。プロセスカートリッジは機器ホストに対して取り外し可能に取り付けられるため、機器のメンテナンスにおいて便利となる。電子写真イメージング方式を採用する電子写真画像形成装置は以下のように作動する：画像形成装置の光が充電器を均一に充電する電子写真感光モジュールを選択的に露出することによって静電潜像を形成し、該潜像は現像器により調色剤で調色剤像に現像されるため、形成された調色剤像は転写装置により記録媒体に転写され、記録材料には画像を形成するようにする。
【０００３】
一般的に、プロセスカートリッジの感光モジュールに動力受け装置が設置され、該動力受け装置は画像形成装置内の機器駆動装置に噛み合わされ、感光モジュールの回転運動を連動して、プロセスカートリッジ全体の作動を駆動するようにする。しかしながら、感光モジュールはプロセスカートリッジに伴って取り外し可能に画像形成装置に取り付けられる必要があるため、プロセスカートリッジを画像形成装置から取り出す際に、動力受け装置と機器駆動装置との噛み合いを脱離することを求め、プロセスカートリッジが順調に画像形成装置から取り出されることを確保するようにし、プロセスカートリッジを画像形成装置に取り付けて印刷作業を行う際に、動力受け装置と機器駆動装置との噛み合いを実現することを求め、感光モジュールが順調に駆動力を受けることができることを確保する。
【０００４】
従来の技術において数多くのメーカーは伸縮可能な動力受け装置を使用し、プロセスカートリッジの一側に動力受け装置の伸縮を制御する制御機構を設置して、プロセスカートリッジが作動する際に動力受け装置と機器駆動装置との噛み合い、取り外す際に動力受け装置と機器駆動装置との噛み合いの脱離を実現し、出願者が数日前に出願した中国特許出願第２０１１１０３９４４５５．２号には制御機構を記載し、該制御機構はカートリッジ本体における支点を廻って回転することができる押えロッドを含み、該押えロッドは取り付け及び取り外し過程において画像形成装置取り付けレールの押圧を受け、押圧トリガー時に押えロッドは動力受け装置の撤回を制御し、それにより動力受け装置と機器駆動装置とは取り付け及び取り外し過程において干渉せず、しかしながら、プロセスカートリッジを取り外す必要がある際に、人為的にプロセスカートリッジを持ち上げて押えロッドが画像形成装置取り付けレールを押圧させることによって押圧トリガーを取得し、該人為的な持ち上げ動作はユーザの使用習慣に符合せず、ユーザは人為的にプロセスカートリッジの動作を実行しないと、該プロセスカートリッジを容易に取り外すことができず、該製品は市場上での普及応用が困難であり、このため、容易に取り外すことができるだけでなく、ユーザの使用習慣を満たすことができるプロセスカートリッジを研究する必要がある。
【考案の概要】
【考案が解決しようとする課題】
【０００５】
本実用新案はプロセスカートリッジを提供して、従来技術において、プロセスカートリッジを取り外す必要がある際に、人為的にプロセスカートリッジを持ち上げて押えロッドが画像形成装置取り付けレールを押圧させることによって押圧トリガーを取得し、人為的な持ち上げ動作はユーザの使用習慣に合わず、人為的にプロセスカートリッジの動作を実行しないと、プロセスカートリッジを容易に取り外すことができず、それにより製品は市場上での普及などに影響を与える問題を解決する。
【課題を解決するための手段】
【０００６】
以上の技術問題を解決するために、本実用新案の技術的解決手段はプロセスカートリッジを提供する。
【０００７】
前記プロセスカートリッジはプロセスカートリッジのカートリッジ本体、カートリッジ本体にある感光ドラム駆動モジュール、及び感光ドラム駆動モジュールにおける動力受け部の伸縮を制御する１つの制御機構を備え、前記制御機構はカートリッジ本体における支点を廻って回転することができる押えロッドを含み、前記押えロッドは前記画像形成装置取り付けレールによって押さえられることができ、前記制御機構は更に前記取り付けレールに合わせて前記プロセスカートリッジを突き上げて前記レールが前記押えロッドを強制的に押さえるジャッキブロック及び前記ドア本体の押圧力によって前記プロセスカートリッジの回転を駆動し前記取り付けレールが前記押えロッドへの押えを解除する受力部を含み、前記ジャッキブロックは前記カートリッジ本体の一側に設置され、前記受力部は前記カートリッジ本体に設置される。
【０００８】
前記カートリッジ本体に第１リミット部と第２リミット部が設置され、前記制御機構は第１弾性素子を更に含み、前記第１弾性素子の一端が第２リミット部に当接され、一端が前記カートリッジ本体に当接され、前記ジャッキブロックは第１リミット部と第２リミット部との間で運動でき、前記ジャッキブロックが第１リミット部にある際に、前記取り付けレールは前記押えロッドを押さえ、第２リミット部にある際に、前記ドア本体は前記受力部を押圧して、前記取り付けレールは前記押えロッドへの押えを解除する。
【０００９】
前記カートリッジ本体に回転孔が設置され、前記ジャッキブロックに取り付け突起が設置され、前記取り付け突起は前記取り付け孔に合わせ、前記ジャッキブロックは前記取り付け孔を廻って第１リミット部と第２リミット部との間で回転する。
【００１０】
前記ジャッキブロックにガイド突起が設置され、前記カートリッジ本体にガイド溝が設置され、前記ガイド突起は前記ガイド溝に合わせる。
【００１１】
前記ジャッキブロックに固定孔が設置され、前記第１弾性素子の一端が前記固定孔に合わせ、一端が第２リミット部に当接される。
【００１２】
前記カートリッジ本体に第１弾性素子取り付け柱が設置され、前記第１弾性素子はねじりバネであり、前記第１弾性素子は前記第１弾性素子取り付け柱に套設される。
【００１３】
前記プロセスカートリッジには現像素子を支持する支持柱が設置され、前記押えロッドには前記支持柱を回避する回避部が設置される。
【００１４】
前記ジャッキブロックは前記カートリッジ本体に固定して設置され、前記ジャッキブロックには受力によって弾性的に変形可能な弾性部が設置される。
【００１５】
前記弾性部はゴム材料からなる。
【００１６】
本実用新案のプロセスカートリッジはジャッキブロックを設置することによってプロセスカートリッジを突き上げることができるため、プロセスカートリッジを使用しない際に、押えロッドはずっと上取り付けレールによって圧迫され、動力受け部が撤回し、干渉することがなく、使用する際に、プロセスカートリッジにおける受圧部がドア本体に押圧して合わせることによって、押圧力がプロセスカートリッジの突き上げ状態を変え、押えロッドは取り付けレールとの圧迫を解除し、動力受け部が伸び出し、それにより機器駆動ヘッドに噛み合い、本技術的解決手段を採用した後に動力受け部の伸縮トリガーは画像形成装置ドア本体の押圧から発生し、該トリガー動作はユーザがプロセスカートリッジを使用する際に機器ドア本体を開閉する不可欠な動作によって実現することができ、ユーザは別途に操作する必要がなく、ユーザの使用習慣に符合し、且つ該制御が正確であり、プロセスカートリッジは取り付け及び取り外し過程において干渉しない。
【００１７】
本実用新案の実施例又は従来技術における技術的解決手段をより明確に説明するために、以下は、実施例又は従来技術を説明するには使用する必要がある図面を簡単に紹介し、以下で説明する図面は本実用新案のいくつかの実施例であり、当業者にとって、創造的な労働をしない前提で、これらの図面に基づきその他の図面を取得することができる。
【図面の簡単な説明】
【００１８】
【図１】本実用新案のプロセスカートリッジの構造模式図である。
【図２】本実用新案のプロセスカートリッジ分解図である。
【図３】図２におけるＡの部分拡大図である。
【図４】本実用新案のプロセスカートリッジの感光ドラム駆動モジュールの分解図である。
【図５】図４における第２駆動ブロックＢ−Ｂ断面の２つの異なる視角の断面図である。
【図６】本実用新案のプロセスカートリッジの感光ドラム駆動モジュールの２種の状態の断面図である。
【図７】本実用新案のプロセスカートリッジの取り外し過程におけるジャッキブロック状態切り替え模式図である。
【図８】本実用新案のプロセスカートリッジの第２実施例のカートリッジ本体の取り付け模式図である。
【考案を実施するための形態】
【００１９】
本実用新案の実施例の目的、技術的解決手段及び利点をより明確にするために、以下、本実用新案の実施例における図面を合わせながら、本実用新案の実施例における技術的解決手段を目明確で、完全に説明し、また説明された実施例は全ての実施例ではなく、本実用新案の一部の実施例である。本実用新案における実施例に基づいて、当業者は創造的な労働をしない前提で得られたすべてのその他の実施例は、いずれも本実用新案が保護する範囲に属する。
【００２０】
図１に示すように、本実用新案の実施例のプロセスカートリッジは１つのカートリッジ本体１０、カートリッジ本体１０の一側に設置される感光ドラム駆動モジュール２０及び感光ドラム駆動モジュール２０における動力受け部２４の伸縮を制御する制御機構３０を備え、感光ドラム駆動モジュール２０はカートリッジ本体１０の上に支持され、制御機構３０はカートリッジ本体１０の一側に設置される。
【００２１】
図１−図２に示すとおり、カートリッジ本体１０に感光ドラム駆動モジュール２０が支持され、感光ドラム駆動モジュール２０と同じ側に保護カバー１５が設置され、保護カバー１５には内へ凹んだ収納チャンバー１５’、外へ突出する支点柱１３、支持柱１４が設置され、収納部１５’はジャッキブロック３２及び押えロッド３３を取り付けることに用いられ、支点柱１３を押えロッド３３が回転する回転中心として、支持柱１４はプロセスカートリッジの現像部材、例えば磁気ローラ、現像ローラを支持することに用いられる。
【００２２】
図４に示すとおり、感光ドラム駆動モジュール２０はカートリッジ本体１０の上に支持され、感光ドラム（図示せず）に接続されて感光ドラムの回転を駆動し、動力受け部２４、駆動部２７、第２弾性素子２２及びハブ２６を含み、動力受け部２４を駆動部２７、第２弾性素子２２と組み立てた後にハブ２６のチャンバー内に取り付ける。
【００２３】
図４に示すとおり、動力受け部２４は第１柱体２４ａ、第２柱体２４ｂ及び動力受け口２４ｅを含み、第１柱体２４ａ、第２柱体２４ｂは円形断面で且つ直径が違い、第１柱体２４ａの直径Ｄ１は第２柱体２４ｂの直径Ｄ２より小さく、動力受け口２４ｅは第２柱体２４ｂに接続されて、機器駆動ヘッド１００に噛み合って駆動力を受けて、それによりプロセスカートリッジ全体の作動を駆動し、第２弾性素子２２は第１柱体２４ａの上に取り付けられ、その一端が第１柱体２４ａと第２柱体２４ｂとの直径突然変異部２４ｆに取り付けられ、動力受け部２４がハブ２６の軸方向Ｙ方向への伸出のために回復弾性力Ｆ３（図６参照）を提供することに用いられ、第２柱体２４ｂの外円周表面にその径方向へ突出するように動力伝達部２４ｃが形成され、動力伝達部２４ｃは２つであり、その間隔がＬであり、動力伝達部２４ｃは駆動部２７に噛み合って機器が受ける駆動力を駆動部２７に伝達することに用いられる。
【００２４】
本実施例において動力受け部２４を一体に設置し、三段が単独に成形して或いは三段より大きいものに分割して単独に成形した後に組み合わせてもよいし、２つずつに一体に成形して他の単独成形部材と組合せてもよく、本実施例において、第１柱体２４ａ、第２柱体２４ｂの断面が円形であり、方形、「十字形」等のその他の形状であってもよく、本実施例において、動力伝達部２４ｃは外円周面に設置されて径方向へ突出し、第１柱体２４ａの端面に形成されてハブ２６の軸方向へ突出するように設置される。
【００２５】
図４−図５に示すとおり、駆動部２７は第１駆動ブロック２１及び第２駆動ブロック２３を備え、第１駆動ブロック２１には押される斜面２１ａが設置され、押される斜面２１ａがハブ２６の軸方向Ｙ方向に沿って高度差があり、押えロッド３３の押し斜面３３ｅは押される斜面２１ａを押して駆動部２７を逆方向にハブ２６の軸方向のＹ方向に沿って引っ込ませ、第１駆動ブロック２１及び第２駆動ブロック２３にそれぞれ第１取り付け孔２１ｃ及び第２取り付け孔２３ａが設置され、第１取り付け孔２１ｃの直径は動力受け部２４の第２柱体２４ｂの直径Ｄ２にほぼ等しく、第２取り付け孔２３ａの直径は第１柱体２４ａの直径Ｄ１より大きく、動力受け部２４は第１取り付け孔２１ｃと第２取り付け孔２３ａを突き通し、第１駆動ブロック２１の上に更に動力伝達部２４ｃを突き通すための第１取り付け溝２１ｂが設置され、第２駆動ブロック２３の外円周面に径方向へ突出するように駆動突起２３ｂが形成され、駆動突起２３ｂがハブ２６に噛み合って駆動力をハブ２６に伝達し、それによりプロセスカートリッジの歯車列の回転を駆動し、第２駆動ブロック２３の取り付け孔２３ａ内表面に第１段差面２３ｃと第２段差面２３ｄが形成され、第１段差面２３ｃと第２段差面２３ｄとはハブ２６の軸方向Ｙ方向に沿う間隔がＬ１であり、２つの段差面の間隔Ｌ１は２つの動力伝達部の間隔Ｌにほぼ等しく、２つの段差面が第２駆動ブロック２３に交ぜ合って初期面２３ｆと伝達面２３ｇが形成され、初期面２３ｆの付近には軸方向Ｙに沿って第２取り付け溝２３ｅが設置され、動力受け部２４を取り付ける際に、まず第２取り付け孔２３ａを突き通し、動力伝達部２４ｃは初期面２３ｆに近づき第２取り付け溝２３ｅに沿って摺動し、その後、２つの動力伝達部２４ｃは２つの段差面に密接して（図５の矢印に示す）伝達面２３ｇまで回転し、動力受け部２４は駆動力を受けて回転する際に動力伝達部２４ｃと伝達面２３ｇとの合わせによって、動力を駆動部２７に伝達することができ、動力伝達部２４ｃと第２段差面２３ｄとの合わせは駆動部２７が押し力によって連動されて動力伝達部２４が軸方向Ｙ方向に撤回し、及び動力伝達部２４が第２弾性素子２２の回復力によって連動されて駆動部２７が軸方向Ｙ方向に沿って伸び出し、第１段差面２３ｃの上に軸方向Ｙに沿って突出するように脱落防止突起２３ｈが形成され、脱落防止突起２３ｈは動力伝達部２４ｃが回転して伝達面２３ｇとの合わせを脱離することを防止することができる。
【００２６】
本実施例において駆動部２７は第１駆動ブロック２１と第２駆動ブロック２３を備え、一体に成形するように設置してもよく、第１駆動ブロック２１と第２駆動ブロック２３を一体に設置する際に、動力受け部２４は直接にハブ２６に噛み合って動力を伝達し、具体的に、動力受け部２４における端面に軸方向へ突出する伝達突起を設置してハブ２６の端面に設置される動力受け孔に噛み合って動力を伝達し、本実施例において、２つの段差面はそれぞれ２つの動力伝達部２４ｃに噛み合い、第２段差面２３ｄのみが設置されて動力伝達部２４ｃと噛み合うこともできる。
【００２７】
本実施例において駆動部２７内表面に形成されて突出する段差面は動力伝達部２４ｃに噛み合い、駆動部２７の端面には第１柱体端面に形成される動力伝達部に噛み合う伝達孔を形成するように設置されてもよく、本実施例の駆動突起２３ｂは駆動部の外円周表面で突出して設置される突起であり、駆動部端面に形成される駆動突起であるように設置されてもよい。
【００２８】
図４に示すとおり、ハブ２６はドラムギア２６ｂ及びハブ２６内表面に設置される受力突起２６ａを備え、受力突起２６ａは駆動部２７の駆動突起２３ｂに噛み合って駆動部２７がハブ２６の回転を駆動させる。
【００２９】
本実施例において受力突起２６ａはハブ２６の内表面に設置され、ハブ２６の端面には駆動部端面に形成される駆動突起に噛み合う受力突起又は動力受け孔であるように設置されてもよい。
【００３０】
図４に示すとおり、感光ドラム駆動モジュール２０の組み立てが完成した後に（図６参照）、動力受け部２４は駆動部２７とハブ２６のギア穴２６ｄを突き通し、第２弾性素子２２は第１柱体２４ａの上に取り巻かれ、その一端が直径突然変異部２４ｆに当接され、他端がドラムギア３６の内表面２６ｃに接続され、第１柱体２４ａに係合部２４ｄが設置され、制限部２５がハブ２６の外表面２６ｅの外に設置され、動力受け部２４がハブ２６に対して外へ伸出する最大ストロークを制限するように、制限部２５が係合部２４ｄに合わせる。
【００３１】
本実施例において、第１柱体２４ａにおける係合部２４ｄは係止溝であり、制限部２５は係止溝に合わせる止めリング２５であり、係合部２４ｄが係止孔であるように設置されてもよく、リミット部２５は係止孔に合わせるバヨネットロックである。
【００３２】
本実施例において、第２弾性素子２２は第１柱体２４の外円周面に取り巻かれ、第１柱体２４には第２弾性素子２２を収納する収納孔が設置されるように設置されてもよく、第２弾性素子２２が第１柱体２４の収納孔に取り付けられる。
【００３３】
図３に示すとおり、制御機構３０はカートリッジ本体１０の一側に取り付けられ、第１弾性素子３１、ジャッキブロック３２及び押えロッド３３を備え、ジャッキブロック３２はカートリッジ本体１０の収納部１５’内に収納され、その上に取り付け突起３２ｃが設置され、取り付け突起３２ｃは保護カバー１５に設置される回転孔１９に合わせて、ジャッキブロック３２をカートリッジ本体１０に対して第１リミット部１８と第２リミット部１１との間で回転孔１９を廻って回転させることができ、ジャッキブロック３２の上に更にガイド突起３２ｂが設置され、ガイド突起３２ｂは保護カバー１５のガイド溝１７内に設置され、両者が合わせてジャッキブロックの回転運動をガイドすることができ、第１弾性素子３１はカートリッジ本体１０に設置される第１弾性素子取り付け柱１６の上に套設され、第１末端３１ａと第２末端３１ｂを有し、第１末端３１ａは第２リミット部１１に当接され、第２末端３１ｂがジャッキブロック３２の固定孔３２ａ内に取り付けられ、初期位置時に第１弾性素子の弾性力の作用でジャッキブロック３２が第１リミット部１８にあり、カートリッジ本体の取り付け面１０’を超える部分を有し、このため、ジャッキブロック３２は下取り付けレールに接触して予め突き上げ力Ｆを印加してカートリッジ本体を突き上げさせ、ジャッキブロック３２はドア本体によって押圧されて第２リミット部１１に運動する際に、ジャッキブロック３２はカートリッジ本体の取り付け面１０’を超えず、取り付け面１０’は下取り付けレールに貼り合わされ（図７参照）、押えロッド３３にはカートリッジ本体１０における支点柱１３に合わせる支点孔３３ｃが設置され、押えロッド３３は支点柱３３ｃを廻って回転することができ、押えロッド３３は支点孔３３ｃを境界として、一端に組み立てる時に機器レールに合わせる押え部３３ａが設置され、他端に駆動部２７の押される斜面２１ａに合わせる押し斜面３３ｅ及び支持柱１４を回避する回避部３３ｄが設置され、押え部３３ａは機器レールに合わせる際に機器レールの押えによって押えロッド３３を支点柱１３を廻って回転させることができ、押えロッド３３の取り付けが終了した後に、押し斜面３３ｅは軸方向Ｙに対して高度差があり、押し斜面３３ｅが回転する際に押し力Ｆ２（図７参照）を押される斜面２１ａに印加して駆動部２７をＹ方向に沿って内へ引っ込ませ、それにより動力受け部２４はＹ方向に沿って内へ引っ込むことを連動し、保護カバー１５に更に受圧部１２が設置され、受圧部１２は画像形成装置のドア本体による押圧を受けることができ、カートリッジ本体１０をハブ２６の軸線を廻って回転させることができる。
【００３４】
本実施例において、押えロッド３３に支点孔３３ｃを設置して、カートリッジ本体１０に支点柱１３を設置し、押えロッド３３が支点柱１３を廻って回転し、押えロッド３３に支点柱を設置して、カートリッジ本体１０に支点孔を設置し、押えロッド３３が支点孔を廻って回転するように設置されてもよい。本実施例において、取り付け突起３２ｃはジャッキブロック３２に設置され、それに合わせる回転孔１９は保護カバー１５に設置され、取り付け突起３２ｃは保護カバー１５に設置されて、それに合わせる回転孔１９はジャッキブロック３２に設置されるように設置されてもよい。
【００３５】
本実施例において、第１弾性素子３１はねじりバネであり、第２弾性素子２２は圧縮バネであり、弾性ゴム、弾性鋼板などのその他の弾性部材であってもよい。
【００３６】
本実施例において、受圧部１２は保護カバー１５に設置され、保護カバー１５に分割して設置され或いはプロセスカートリッジの上に設置される。
【００３７】
本実施例において、ジャッキブロック３２には第１弾性素子３１の予め突き上げ力Ｆを受けてプロセスカートリッジを突き上げるカートリッジ本体が設置され、受圧部１２が機器ドア本体によって押圧されて予め突き上げ力Ｆを克服してカートリッジ本体を回転させる。本発明の他の実施例において（図８参照）、ジャッキブロック３２’は弾性ゴム材料からなる弾性部３２’ａを有し、プロセスカートリッジの上に固定して設置され、弾性部３２’ａがカートリッジ本体の取り付け表面１０’を超える部分を有し、初期状態時に、弾性部３２’ａはプロセスカートリッジを突き上げ、ドア本体を閉じる際に、弾性部３２’ａはドア本体によって押圧されて自分が弾性変形して、カートリッジ本体が回転して、取り付け表面１０’が下取り付けレール１０２に貼り合わされる。
【００３８】
以下、図６−図７を参照して本実用新案の第１実施例のプロセスカートリッジの取り外し過程を説明し、第２実施例において、プロセスカートリッジの取り外し過程はそれに類似し、区別は、第１実施例においてジャッキブロックが第１弾性素子弾性力でプロセスカートリッジを突き上げ、ドア本体の押圧力が予め突き上げ力を克服してカートリッジ本体をジャッキブロックに対して回転させ、第２実施例において、ジャッキブロックが自分の材料の弾性力によってプロセスカートリッジを突き上げ、ドア本体の押圧力によってジャッキブロックを変形させることにある。
【００３９】
プロセスカートリッジを取り付けない際に、動力受け部２４は第２弾性素子の回復力Ｆ３の作用によって伸出状態にある。
【００４０】
プロセスカートリッジを画像形成装置に取り付ける際に、押えロッド３３の押え部３３ａは上取り付けレール１０１に接触して、ジャッキブロック３２が第１リミット部１８にあって且つ下取り付けレール１０２に接触し、第１弾性素子３１の作用で予め突き上げ力Ｆをプロセスカートリッジに印加して、プロセスカートリッジを突き上げて下取り付けレール１０２に対して回転させることができ、プロセスカートリッジが取り付けレールに沿って機器落下位置１０３に滑り込むに伴って、上取り付けレール１０１は押えロッド３３を押して、押えロッド３３が支点柱１３を廻って回転し、回転する際に、駆動部２７の押される斜面２１ａを押すように押えロッド３３の押し斜面３３ｅは押し力Ｆ２を印加して、それにより駆動部２７は動力受け部２４が撤回するように連動し、プロセスカートリッジが機器落下位置１０３に取り付けられる際に、ジャッキブロック３２は第１弾性素子３１によってプロセスカートリッジに印加する予め突き上げ力Ｆによってプロセスカートリッジは時計回りに回転する傾向を有させ、それにより押えロッド３３が上取り付けレール１０１を押して、この時、押えロッド３３はずっと押え状態にあり、動力受け部２４が収縮状態にあり、ユーザは画像形成装置のドア本体を閉じる際に、ドア本体は押圧力Ｆ１をプロセスカートリッジの受圧部１２に印加して、プロセスカートリッジは第１弾性素子３１の予め突き上げ力Ｆを克服してジャッキブロック３２に対して反時計回りに回転し、ジャッキブロック３２はプロセスカートリッジに対して第２リミット部１１まで回転し、それによりプロセスカートリッジの押えロッド３３は上取り付けレール１０１への押しを解除させ、押えロッド３３には上取り付けレール１０１の押しを受けず、第２弾性素子２２の回復力Ｆ３の作用で、動力受け部２４における動力受け口２４ｅが軸方向に沿って伸び出して機器駆動ヘッド１００に噛み合い、それによりプロセスカートリッジの正常作動を駆動する。
【００４１】
プロセスカートリッジの作動が終了して画像形成装置から取り外す必要がある際に、画像形成装置のドア本体を開け、ドア本体は受圧部１２に押圧力Ｆ１を印加することを停止し、この時、第１弾性素子３１の予め突き上げ力Ｆの作用で、プロセスカートリッジはジャッキブロック３２によって突き上げられて時計回りに回転し、プロセスカートリッジは押えロッド３３が上取り付けレール１０１を押えるように連動し、それにより押えロッド３３を上取り付けレール１０１に対して反時計回りに回転させ、この時、駆動部２７の押される斜面２１ａを押すように押えロッド３３の押し斜面３３ｅは押し力Ｆ２を印加して、押し力Ｆ２は第２弾性素子の回復力Ｆ３を克服して、それにより駆動部２７によって動力受け部２４が軸方向のＹ方向に沿って内へ引っ込むように連動し、この時動力受け部２４が引っ込み状態にあり、動力受け部２４における動力受け口２４ｅと機器駆動ヘッド１００との噛み合いを脱離し、干渉を発生せずにプロセスカートリッジを取り出すことができる。
【００４２】
本実用新案の感光ドラム駆動モジュール２０は駆動部２７と動力受け部２４とは分割して設置されるため、押えロッド３３によって押される際に、動力受け部２４の回転が押し作用の影響を受けず、駆動部と動力受け部とは一体に設置され、動力受け部２４が回転する際に押えロッドが駆動部に押され、回転する動力受け部に摩擦を発生して動力伝達にもたらす影響を効果的に避ける。
【００４３】
本実用新案のプロセスカートリッジはジャッキブロックと第１弾性素子を設置することによってプロセスカートリッジを突き上げることができるため、プロセスカートリッジを使用しない際に、押えロッドはずっと上取り付けレールによって圧迫され、動力受け部が撤回し、干渉を発生せず、使用する際に、プロセスカートリッジにおける受圧部がドア本体に押圧して合わせることによって、押圧力がプロセスカートリッジの突き上げ状態を変えて、押えロッドは取り付けレールとの圧迫を解除し、動力受け部２４が伸び出し、それにより機器駆動ヘッドに噛み合い、本技術的解決手段を採用した後に動力受け部２４の伸縮トリガーは画像形成装置ドア本体の押圧から発生し、該トリガー動作はユーザがプロセスカートリッジを使用する際に機器ドア本体を開閉する不可欠な動作によって実現することができ、ユーザは別途に操作する必要がなく、ユーザの使用習慣に符合し、且つ該制御が正確であり、プロセスカートリッジは取り付け及び取り外し過程において干渉しない。
【００４４】
最後に、説明すべきなのは、以上の実施例は制限するものではなく、本実用新案の技術的解決手段を説明するためのものだけであり、前述実施例を参照して本実用新案を詳細的に説明したが、当業者は、明細書で依然として前述各実施例に記載の技術的解決手段を修正し、或いはその中の一部の技術的特徴を等価に取り替えることができ、これらの修正や取り替えは、対応した技術的解決手段の本質は本実用新案の各実施例の技術的解決手段の精神及び範囲を逸脱させないことを理解すべきである。
【符号の説明】
【００４５】
１０：カートリッジ本体          １１：第２リミット部
１２：受圧部                    １３：支点柱
１４：支持柱                    １５：保護カバー
１５’：収納部                  １６：第１弾性素子取り付け柱
１７：ガイド溝                  １８：第１リミット部
１９：回転孔                    １０’：取り付け面
２０：感光ドラム駆動モジュール  ２１：第１駆動ブロック
２１ａ：押される斜面            ２１ｂ：第１取り付け溝
２１ｃ：第１取り付け孔          ２２：第２弾性素子
２３：第２駆動ブロック          ２３ａ：第２取り付け孔
２３ｂ：駆動突起                ２３ｃ：第１段差面
２３ｄ：第２段差面              ２３ｅ：第２取り付け溝
２３ｆ：初期面                  ２３ｇ：伝達面
２３ｈ：脱落防止突起            ２４：動力受け部
２４ａ：第１柱体                ２４ｂ：第２柱体
２４ｃ：動力伝達部              ２４ｄ：係合部
２５：制限部                    ２６：ハブ
２６ａ：受力突起                ２６ｂ：ドラムギア
２６ｃ：ドラムギア部内表面      ２６ｄ：ギア穴
２６ｅ：ドラムギア部外表面      ３０：制御機構
３１：第１弾性素子              ３２：ジャッキブロック
３２ａ：固定孔                  ３２ｂ：ガイド突起
３２ｃ：リミット突起            ３２ｄ：ストローク溝
３３：押えロッド                ３３ａ：押え部
３３ｄ：逃げ部                  ３３ｃ：支点孔
３３ｅ：押し斜面
【図１】
0003213269.tif 000003
【図２】
0003213269.tif 000004
【図３】
0003213269.tif 000005
【図４】
0003213269.tif 000006
【図５】
0003213269.tif 000007
【図６】
0003213269.tif 000008
【図７】
0003213269.tif 000009
【図８】
0003213269.tif 000010
【手続補正書】
【提出日】平成29年7月27日(2017.7.27)
【手続補正１】
【補正対象書類名】実用新案登録請求の範囲
【補正対象項目名】全文
【補正方法】変更
【補正の内容】
【実用新案登録請求の範囲】
【請求項１】
プロセスカートリッジのカートリッジ本体、カートリッジ本体にある感光ドラム駆動モジュール、及び感光ドラム駆動モジュールにおける動力受け部の伸縮を制御する制御機構を備え、前記制御機構はカートリッジ本体における支点を廻って回転することができる押えロッドを含み、前記押えロッドは画像形成装置の取り付けレールの押さえに耐えるドア本体を有する画像形成装置に取り外し可能に取り付けられるプロセスカートリッジであって、前記制御機構は前記取り付けレールと合わせて前記プロセスカートリッジを突き上げて前記取り付けレールが前記押えロッドを強制的に押さえるジャッキブロック及び前記ドア本体の押圧力によって前記プロセスカートリッジの回転を駆動し前記取り付けレールが前記押えロッドへの押えを解除する受力部を更に含み、前記ジャッキブロックは前記カートリッジ本体の一側に設置され、前記受力部は前記カートリッジ本体に設置されることを特徴とするプロセスカートリッジ。
【請求項２】
前記カートリッジ本体に第１リミット部と第２リミット部が設置され、前記制御機構は更に第１弾性素子を含み、前記第１弾性素子の一端が第２リミット部に当接され、一端が前記カートリッジ本体に当接され、前記ジャッキブロックは前記ドア本体を開ける第１位置と前記ドア本体を閉じる第２位置との間で切り替えることができ、前記ジャッキブロックが第１位置にある際に、前記取り付けレールは前記押えロッドを押え、第２位置にある際に、前記ドア本体は前記受力部を押圧して、前記取り付けレールは前記押えロッドへの押えを解除することを特徴とする請求項１に記載のプロセスカートリッジ。
【請求項３】
前記カートリッジ本体に回転孔が設置され、前記ジャッキブロックに取り付け突起が設置され、前記取り付け突起は前記回転孔に合わせ、前記ジャッキブロックは前記回転孔を廻って第１リミット部と第２リミット部との間で回転することを特徴とする請求項２に記載のプロセスカートリッジ。
【請求項４】
前記ジャッキブロックにガイド突起が設置され、前記カートリッジ本体にガイド溝が設置され、前記ガイド突起は前記ガイド溝に合わせることを特徴とする請求項３に記載のプロセスカートリッジ。
【請求項５】
前記ジャッキブロックに固定孔が設置され、前記第１弾性素子の一端が前記固定孔に合わせ、一端が第２リミット部に当接されることを特徴とする請求項２に記載のプロセスカートリッジ。
【請求項６】
前記カートリッジ本体に第１弾性素子取り付け柱が設置され、前記第１弾性素子はねじりバネであり、前記第１弾性素子は前記第１弾性素子取り付け柱に套設されることを特徴とする請求項２−５のいずれかに記載のプロセスカートリッジ。
【請求項７】
前記プロセスカートリッジには現像素子を支持する支持柱が設置され、前記押えロッドには前記支持柱を回避する回避部が設置されることを特徴とする請求項６に記載のプロセスカートリッジ。
【請求項８】
前記ジャッキブロックは前記カートリッジ本体に固定して設置され、前記ジャッキブロックには受力して弾性的に変形可能な弾性部が設置されることを特徴とする請求項１に記載のプロセスカートリッジ。
【請求項９】
前記弾性部はゴム材料からなることを特徴とする請求項８に記載のプロセスカートリッジ。